(57)【特許請求の範囲】
【請求項１】
カラオケ楽曲演奏時の背景映像として、利用者が所持する携帯情報端末に記憶された映像を表示可能なシステムであって、
利用者の指示入力に従って楽曲検索を行う楽曲検索手段と、
前記楽曲検索手段により特定された楽曲の情報に基づき演奏時間を取得する演奏時間取得手段と、
前記携帯情報端末に記憶された背景映像の候補となる複数の映像について、それぞれ表示時間と短縮可能時間を識別可能に表示させる候補映像表示制御手段と、
利用者の指示入力に従って、前記表示された候補映像の中から、前記取得した演奏時間を超えるまで映像を選択する映像選択手段と、
前記選択された映像を一覧表示するとともに、利用者の指示入力による優先順位に従って、表示時間の短縮対象となる映像を選択する短縮対象映像選択手段と、
前記演奏時間に合致するように、前記選択した短縮対象映像の短縮可能時間に応じて、表示時間を調整する表示時間調整手段と
前記表示時間が調整された短縮対象映像を含む前記選択された映像を背景映像として表示させる背景映像表示制御手段と、
を備えたことを特徴とするカラオケ楽曲演奏時における背景映像対応システム。
【請求項２】
前記取得した演奏時間を超えるまで映像を選択する際に、前記演奏時間取得手段で取得した演奏時間と、前記映像選択手段で選択した映像の合計表示時間との差を、利用者に提示する選択映像表示時間提示手段を備えた、
ことを特徴とする請求項１に記載のカラオケ楽曲演奏時における背景映像対応システム。
【発明の詳細な説明】
【技術分野】
【０００１】
本発明は、カラオケ楽曲演奏時における背景映像対応システムに関するものであり、詳しくは、利用者が所持する携帯情報端末に記憶された映像をカラオケ楽曲の背景映像として表示可能なシステムに関するものである。
【背景技術】
【０００２】
カラオケシステムに関する技術として、予め楽曲毎に用意された背景映像に代えて、利用者が所望する映像を表示させる機能を有するカラオケシステムが実現されている。利用者が所望する映像とは、例えば、持ち運び可能な記録媒体や携帯情報端末の記録手段に記憶された映像のことである。予め用意された背景映像に代えて利用者が所望する映像を表示させる場合には、楽曲の演奏時間と、背景映像に代えて表示させる映像の表示時間とが同一であるとは限らず、楽曲の演奏時間と映像の表示時間とが一致するような調整を行わなければならない。そこで、楽曲の演奏時間と、利用者により選択された背景映像の表示時間とを一致させるための技術が種々提案されている（特許文献１、特許文献２参照）。
【０００３】
特許文献１に記載された技術は、撮影した利用者のユーザＩＤ、歌唱する楽曲の楽曲ＩＤ、背景映像として表示する映像の映像ナンバーを紐付けして、予めサーバーに登録しておく。そして、カラオケ演奏装置がサーバーに登録されている楽曲ＩＤを受信した場合には、当該楽曲ＩＤに紐付けられている映像をサーバーからダウンロードすることにより、予約された楽曲が演奏される際の背景映像を携帯情報端末で撮影した映像とすることができるというものである。
【０００４】
特許文献２に記載された技術は、利用者がビデオカメラやデジタルカメラで撮影した動画や静止画をメモリーカードに記憶し、これらの映像の中から、オープニング画面や背景映像で使用する映像を選択することにより、記憶された映像を楽曲歌唱時に背景映像として使用可能とするものである。
【先行技術文献】
【特許文献】
【０００５】
【特許文献１】特開２００６−３８４３号公報
【特許文献２】特開２００４−２７１９５９号公報
【発明の概要】
【発明が解決しようとする課題】
【０００６】
ところで、近年、スマートフォンのような携帯情報端末における撮影機能が充実してきたため、専用のビデオカメラを用いなくても高画質な動画撮影が可能となり、利用者は身近な日常シーンや思い出のシーン等を撮影する機会が多くなっている。また、携帯情報端末に専用のアプリケーションソフトをインストールすることにより、カラオケシステムと連携して、楽曲予約や映像送信等を行う機能が実現されている。
【０００７】
そこで、上述した特許文献等に開示された背景映像を表示させる技術を応用して、携帯情報端末に記憶した映像を背景映像として表示させることが考えられる。この場合、上述したように、楽曲の演奏時間と映像の表示時間とが一致するような調整を行わなければならないが、利用者自らが楽曲の演奏時間と映像の表示時間とを一致するように、好みの映像を選択するのは難しい。すなわち、楽曲の演奏時間と選択した映像の合計表示時間とをいちいち確認しながら映像の選択を行うのでは、映像の選択に時間を取られてしまい、カラオケを楽しむという本来の目的を達成できないことになる。
【０００８】
また、楽曲の演奏時間と選択した映像の合計表示時間とが完全に一致することは稀であり、選択した映像の一部をカットする必要が生じる。この際、利用者が選択する映像には優先度が存在するはずであり、必ず表示したい映像と、一部をカットしてもよい映像とを区別しなければならない。
【０００９】
上述した特許文献１に記載された技術は、利用者が選択した特定の映像と、特定の楽曲とを紐付けして、当該特定の楽曲が演奏された場合に、利用者が選択した特定の映像を背景映像として表示するものであり、利用者がその時々に選曲した任意の楽曲に対して任意の映像を背景映像として表示することはできない。
【００１０】
また、特許文献２に記載された技術は、記憶している映像を指定した場面で背景映像として表示するだけであり、楽曲の演奏時間と選択した映像の合計表示時間とを調整するものではない。
【００１１】
本発明は上述した事情に鑑み提案されたもので、利用者が所持する携帯情報端末に記憶された映像をカラオケ楽曲の背景映像として表示可能なシステムにおいて、楽曲の演奏時間と選択した映像の合計表示時間とを容易に一致させることができるとともに、表示させる映像の優先度を指定することが可能なカラオケ楽曲演奏時における背景映像対応システムを提供することを目的とする。
【課題を解決するための手段】
【００１２】
本発明のカラオケ楽曲演奏時における背景映像対応システムは、上述した目的を達成するため、以下の特徴点を有している。すなわち、本発明のカラオケ楽曲演奏時における背景映像対応システムは、カラオケ楽曲演奏時の背景映像として、利用者が所持する携帯情報端末に記憶された映像を表示可能なシステムであって、楽曲検索手段と、選曲予約手段と、演奏時間取得手段と、候補映像表示制御手段と、映像選択手段と、短縮対象映像選択手段と、表示時間調整手段と、背景映像表示制御手段とを備えたことを特徴とするものである。
【００１３】
楽曲検索手段は、利用者の指示入力に従って楽曲検索を行い、当該楽曲を特定するための情報を出力するための手段である。演奏時間取得手段は、特定された楽曲の情報に基づき演奏時間を取得するための手段である。
【００１４】
候補映像表示制御手段は、携帯情報端末に記憶された背景映像の候補となる複数の映像について、それぞれ表示時間と短縮可能時間を識別可能に表示させるための手段である。映像選択手段は、利用者の指示入力に従って、表示された候補映像の中から、取得した演奏時間を超えるまで映像を選択するための手段である。
【００１５】
短縮対象映像選択手段は、選択された映像を一覧表示するとともに、利用者の指示入力による優先順位に従って、表示時間の短縮対象となる映像を選択するための手段である。表示時間調整手段は、演奏時間に合致するように、短縮対象映像の短縮可能時間に応じて、表示時間を調整するための手段である。背景映像表示制御手段は、表示時間が調整された短縮対象映像を含む選択された映像を背景映像として表示させるための手段である。
【００１６】
また、上述した構成に加えて、取得した演奏時間を超えるまで映像を選択する際に、演奏時間取得手段で取得した演奏時間と、映像選択手段で選択した映像の合計表示時間との差を、利用者に提示する選択映像表示時間提示手段を備えることが好ましい。
【発明の効果】
【００１７】
本発明のカラオケ楽曲演奏時における背景映像対応システムによれば、利用者が背景映像として表示したい映像を選択する際に、背景映像の候補となる複数の映像について、それぞれ表示時間と短縮可能時間を識別可能に表示させるので、映像の表示時間や短縮可能時間を的確に把握して、表示時間が適切な映像を選択することができる。
【００１８】
また、選択した映像の合計表示時間と演奏時間の残り時間に応じて、選択できる映像を抽出したり、短縮対象映像に対して優先順位を設けたりすることにより、カラオケ楽曲のように利用者がその時々に任意で選曲する楽曲であっても、利用者自らが、楽曲の演奏時間と映像の表示時間とが一致するような調整を行ったり、不要な映像区間をカットするような調整を行わなくてもよい。
【００１９】
この際、演奏時間取得手段で取得した演奏時間と、映像選択手段で選択した映像の合計表示時間との差を提示することにより、さらに一層、映像の選択が容易となる。
【００２０】
また、楽曲の演奏時間と選択した映像の合計表示時間とを一致させるために、選択した映像の一部をカットする必要があるが、利用者の所望に応じてカット対象となる映像を選択することができるので、利用者の意思を反映した背景映像を表示することができる。
【図面の簡単な説明】
【００２１】
【図１】本発明の実施形態に係るカラオケ楽曲演奏時における背景映像対応システムの概略構成を示すブロック図。
【図２】映像選択画面の一例を示す模式図。
【図３】短縮対象映像選択画面の一例を示す模式図。
【図４】映像表示時間調整の説明図。
【発明を実施するための形態】
【００２２】
以下、図面を参照して、本発明のカラオケ楽曲演奏時における背景映像対応システム（以下、背景映像対応システムと略記する）の実施形態について説明する。図１〜図４は本発明の実施形態に係る背景映像対応システムを説明するもので、図１は背景映像対応システムの概略構成を示すブロック図、図２は映像選択画面の一例を示す模式図、図３は短縮対象映像選択画面の一例を示す模式図、図４は映像表示時間調整の説明図である。
【００２３】
＜背景映像対応システムの概要＞
図１に示すように、本発明の実施形態に係る背景映像対応システム２００は、カラオケ楽曲演奏時の背景映像として、利用者が所持する携帯情報端末３０に記憶された映像を表示可能なシステムであり、カラオケシステムに組み込んで実現するものである。この背景映像対応システム２００は、通信回線１３０（例えば、ＬＡＮ）を介して相互にデータの送受信が可能な携帯情報端末３０とカラオケ演奏装置１０とを備えている。また、カラオケシステムにおいて、複数のカラオケ演奏装置１０及び携帯情報端末３０を統合的に管理するための装置として、携帯情報端末３０及びカラオケ演奏装置１０とデータの送受信が可能なサーバー２０を備えている。
【００２４】
背景映像対応システム２００は、携帯情報端末３０、カラオケ演奏装置１０を主要な構成要素として、これらの装置により、楽曲検索手段３１、選曲予約手段３２、演奏時間取得手段３３、候補映像表示制御手段３４、映像選択手段３５、短縮対象映像選択手段３６、表示時間調整手段１０７、背景映像表示制御手段１０９、選択映像表示時間提示手段３７の機能を実現する。
【００２５】
本実施形態では、楽曲検索手段３１、選曲予約手段３２、演奏時間取得手段３３、候補映像表示制御手段３４、映像選択手段３５、短縮対象映像選択手段３６、選択映像表示時間提示手段３７は携帯情報端末３０の機能として実現し、表示時間調整手段１０７、背景映像表示制御手段１０９はカラオケ演奏装置１０の機能として実現する。なお、各手段を実現する装置は、適宜変更することができる。
【００２６】
また、本実施形態では、カラオケ演奏装置１０に付帯する装置として、カラオケリモコン装置４０、マイクロホン５０、スピーカ６０、表示装置７０、ミキシングアンプ８０を備えている。
【００２７】
＜サーバー＞
サーバー２０は、複数のカラオケ演奏装置１０及び携帯情報端末３０と通信を行うことにより、種々の制御信号及びデータを送受信して、カラオケ演奏装置１０及びこれとペアリングした携帯情報端末３０を総合的に管理するための装置である。なお、サーバー２０と携帯情報端末３０との間におけるデータ通信は、通信基地局１２０及び通信回線１３０を介して行う。また、カラオケ演奏装置１０と携帯情報端末３０との間におけるデータ通信や、携帯情報端末３０に記憶され映像の中から利用者により選択された選択映像の送受信は、サーバー２０を介して行ってもよいし、同一のＬＡＮ内に設置されたルーター９０を介して行ってもよい。
【００２８】
サーバー２０は、基本的機能手段として、図１に示すように、ＣＰＵ等を含むサーバー制御手段２１、サーバー２０で管理する各種のデータを記憶するサーバー記憶手段２２、サーバー通信制御手段２３を備えている。
【００２９】
＜サーバー制御手段＞
サーバー制御手段２１は、サーバー２０を総合的に制御するための電子機器であり、図示しないが、例えばＣＰＵ及びその周辺機器により構成されており、ＣＰＵ等がＲＯＭ等に記憶されたプログラムに従って動作することにより、制御機能を発揮するようになっている。
【００３０】
＜サーバー記憶手段＞
サーバー記憶手段２２は、サーバー２０で管理する各種のデータを記憶するための装置であり、例えば、利用者管理情報、カラオケ演奏装置１０の管理情報、携帯情報端末３０の管理情報等を記憶している。
【００３１】
＜サーバー通信制御手段＞
サーバー通信制御手段２３は、カラオケ演奏装置１０や携帯情報端末３０との間でデータ及び信号の送受信を制御するための電子機器及びプログラムからなる。
【００３２】
＜カラオケリモコン装置＞
カラオケリモコン装置４０は、ユーザインタフェース機能を備えており、ルーター９０及び通信回線１３０（ＬＡＮ回線）を介して、カラオケ演奏装置１０との間でデータの送受信を行うようになっている。このカラオケリモコン装置４０は、携帯情報端末３０を用いた操作を行わない場合に、楽曲検索や選曲予約を行うための装置であり、リモコン楽曲検索手段４１として機能するプログラム、楽曲索引データベース４２、種々のデータを記憶するデータ記憶部４３、データの入出力を行うためのリモコン入出力表示部４４を備えている。
【００３３】
このカラオケリモコン装置４０に付帯するスイッチ類や、リモコン入出力表示部４４に表示される各種のアイコン等を操作することにより、選曲操作、音量調整、テンポ調整、キー調整、選曲予約履歴の参照等の処理が行われる。
【００３４】
＜マイクロホン／スピーカ＞
マイクロホン５０は、歌唱音声の入力を行うための装置である。マイクロホン５０から入力された歌唱音声信号は、ミキシングアンプ８０に入力され、音楽再生制御手段１０８から送出されるカラオケ演奏信号とミキシングされるとともに増幅され、スピーカ６０へ出力される。また、マイクロホン５０からの音声入力信号は、歌唱採点値の算出や歌唱音声の録音に使用することができる。このような構成とする場合には、図示しないが、カラオケ演奏装置１０にＡ／Ｄコンバータ等からなる音声入力手段を設け、マイクロホン５０から入力されたアナログ音声信号をデジタル音声信号に変換して、歌唱採点値の算出や歌唱音声の録音に使用する。
【００３５】
＜携帯情報端末＞
携帯情報端末３０は、例えば、スマートフォンやタブレット端末等からなり、専用のアプリケーションプログラムをインストールすることにより、楽曲検索や選曲予約、背景映像とするための映像選択等を行うことができる。すなわち、専用のアプリケーションプログラムをインストールした携帯情報端末３０は、楽曲検索手段３１、選曲予約手段３２、演奏時間取得手段３３、候補映像表示制御手段３４、映像選択手段３５、短縮対象映像選択手段３６、選択映像表示時間提示手段３７の機能を有している。また、携帯情報端末３０は、記憶手段３８、入出力表示部３９を備えている。
【００３６】
＜記憶手段＞
記憶手段３８は、電話番号をはじめとする通信相手データ、ウェブサイトのアドレスデータ、携帯情報端末３０の撮影機能で撮影した映像データ、各種のアプリケーションプログラム、その他のデータを記憶するための装置である。
【００３７】
＜入出力表示部＞
入出力表示部３９は、表示機能及びタッチパネル機能を備えており、携帯情報端末３０を操作するための各種の入出力行うとともに、背景映像として選択するための映像を表示するようになっている。
【００３８】
＜楽曲検索手段＞
楽曲検索手段３１は、利用者の指示入力に従って楽曲検索を行うためのプログラムからなる。利用者の指示入力とは、例えば、楽曲名、アーティスト名、楽曲のジャンル、年代等に関するキーワード入力信号のことである。楽曲検索を行うに際して、サーバー２０やカラオケリモコン装置４０に存在する楽曲索引データベースを参照してもよいし、予め楽曲索引データベースをダウンロードしておき、当該楽曲索引データベースを参照してもよい。なお、楽曲索引データベースに、各楽曲の演奏時間データを格納し、当該演奏時間データを用いて、背景映像として表示する映像の表示時間を設定することもできる。
【００３９】
＜選曲予約手段＞
選曲予約手段３２は、検索された楽曲の中から利用者の指示入力に従って楽曲を選択し、当該楽曲の予約を行うためのプログラムからなる。利用者の指示入力とは、楽曲検索手段３１の機能により検索され、一覧表示された楽曲の中から予約を行う楽曲を指定する入力信号のことであり、例えば、一覧表示された楽曲名をタップすることにより発生する信号が指示入力信号となる。利用者の指示入力に従って楽曲が選択されると、当該楽曲の楽曲ＩＤ及び選曲を行った利用者の利用者ＩＤからなる選曲データをカラオケ演奏装置１０に送信する。なお、本実施形態においては、選曲予約時に、カラオケ演奏装置１０に対して、選曲データとともに携帯情報端末３０に記憶された選択映像が送信される。
【００４０】
カラオケ演奏装置１０では、選曲データを受信すると、予約楽曲管理手段１０６の機能により、予約楽曲の楽曲ＩＤと選曲を行った利用者の利用者ＩＤとを紐付けして、予約楽曲リスト１０３ａにて管理する。なお、選曲データは、楽曲ＩＤのみであってもよいし、楽曲ＩＤ及び利用者ＩＤの他に、選曲された楽曲を演奏するための他の情報を含んでいてもよい。
【００４１】
＜演奏時間取得手段＞
演奏時間取得手段３３は、検索された楽曲の演奏時間を取得するためのプログラムからなる。本実施形態では、楽曲検索が行われると、カラオケ演奏装置１０の楽曲データベース１０４ａに格納された当該楽曲の演奏時間データを受信するようになっている。なお、選曲操作において参照する楽曲索引データベースに、各楽曲の演奏時間データを含ませておき、選曲予約と同時に演奏時間データを取得してもよい。
【００４２】
候補映像表示制御手段３４は、携帯情報端末３０に記憶された背景映像の候補となる複数の映像について、それぞれ表示時間と短縮可能時間を識別可能に表示させるためのプログラムからなる。本実施形態の携帯情報端末３０は撮影機能を有しており、撮影した映像はメモリーカードやＲＡＭ等の記憶手段３８に記憶されている。なお、それぞれの映像の短縮可能時間に関しては、特開２０１３−５５４０９号公報に記載されているように、手ブレの激しい区間や明る過ぎる区間、暗すぎる区間等を抽出し、抽出された不要区間の表示時間を算出すればよい。本実施形態の候補映像表示制御手段３４は、携帯情報端末３０に記憶された映像の表示時間を取得するための表示時間取得手段と、携帯情報端末３０に記憶された映像の短縮可能時間を取得するための短縮可能時間取得手段の機能を備えている。
【００４３】
候補映像表示制御手段３４は、記憶手段３８に記憶された映像について、その表示時間（容量）を利用者が識別できるようにして一覧表示する。なお、映像を記憶する際に、記憶手段３８の記憶領域を複数に分割し、各記憶領域毎に映像を記憶している場合には、記憶領域を指定して、当該記憶領域に記憶された映像のみを一覧表示するようにしてもよい。
【００４４】
映像の表示時間（容量）を識別可能とするためには、映像に対応したアイコンとともに表示時間を数値表示してもよいし、映像に対応したアイコンを３Ｄ表示して、その容積により表示時間を表現してもよいし、映像に対応したアイコンの大きさにより表示時間を表現してもよい。図２に示す例では、映像に対応したアイコンを３Ｄ表示することにより、表示時間を識別可能としている。すなわち、アイコンの厚みが薄いと表示時間が短いことを表し、アイコンの厚みが厚くなるに従って表示時間が長いことを表している。図２に示す例では、アイコン表示と数値表示を併用してもよい。また、映像のプレビュー表示を行ってもよい。
【００４５】
また、映像を一覧表示する際に、表示時間（容量）に応じて、降順または昇順に映像を表示することが好ましい。これにより、利用者は所望の表示時間の映像を容易に探し出すことができる。この場合、所定範囲の表示時間（容量）毎に映像を複数のグループに分け、表示時間のグループ毎に映像を一覧表示してもよい。また、映像の数が多い場合には、ページ送りして、降順または昇順に映像を表示すればよい。
【００４６】
＜映像選択手段＞
映像選択手段３５は、利用者の指示入力に従って、表示された候補映像の中から、取得した演奏時間を超えるまで映像を選択するためのプログラムからなる。利用者の指示入力とは、一覧表示された映像の中から選択する映像を指定する入力信号のことであり、例えば、アイコン表示される映像をタップすることにより発生する信号が指示入力信号となる。
【００４７】
映像選択手段３５では、映像が選択される毎にその表示時間を加算し、選択された映像の合計時間と、選曲予約した楽曲の残りの演奏時間を考慮し、映像の選択を可能とする。すなわち、選曲予約した楽曲の残り時間と映像の表示時間とに基づいて、表示可能な映像を抽出し選択可能とする。この際、後述する選択映像表示時間提示手段３７により、選択可能な残り時間を利用者が認識可能とすることが好ましい。
【００４８】
＜短縮対象映像選択手段＞
短縮対象映像選択手段３６は、選択された映像を一覧表示するとともに、利用者の指示入力に従って、表示時間の短縮対象となる映像を選択するためのプログラムからなる。利用者の指示入力とは、一覧表示された映像の中から映像を指定する入力信号のことであり、例えば、アイコン表示される映像をタップすることにより発生する信号が指示入力信号となる。
【００４９】
上述したように、選択された映像の合計表示時間は、選曲予約した楽曲の演奏時間を超えているため、映像の一部をカットする必要がある。そこで、映像の選択が終了すると、短縮対象映像選択手段３６の機能により選択された映像の表示時間（再生時間）と短縮可能時間(不要区間の時間)をアイコンとして一覧表示する。そして、利用者がカットしてもよいと判断した映像アイコンをタップすると、当該アイコンに対応する映像が表示時間のカット対象として選択される。なお、選択する映像は一つに限られず、二つ以上であってもよく、複数の映像が選択された場合には、選択順序に従って優先順位を決定してもよい。例えば、先に選択された映像の選択順位を高くする等である。
【００５０】
＜選択映像表示時間提示手段＞
選択映像表示時間提示手段３７は、取得した演奏時間を超えるまで映像を選択する際に、演奏時間取得手段３３で取得した演奏時間と、映像選択手段３５で選択した映像の合計表示時間との差を、利用者に提示するためのプログラムからなる。上述したように、選択された映像の合計時間が、選曲予約した楽曲の演奏時間を超えた時点で映像の選択を終了する。したがって、映像を選択する利用者は、選択した映像の合計時間、あるいは選択可能な残時間を認識することにより、映像の選択を容易に行うことができる。
【００５１】
そこで、本実施形態では、選択映像表示時間提示手段３７の機能により、選択した映像の合計時間や選択可能な残時間を表示している。選択した映像の合計時間や選択可能な残時間を提示するには、例えば、図２に示すように、演奏時間を横長のボックスで表示し、映像を選択する毎に、当該映像の表示時間をボックス内で色違い表示や塗りつぶし表示すればよい。
【００５２】
＜表示装置＞
表示装置７０は、カラオケ楽曲に関連した背景映像や歌詞テロップ等を表示するための装置で、例えば、液晶ディスプレイ等により構成される。
【００５３】
＜カラオケ演奏装置＞
カラオケ演奏装置１０は、中央制御手段１０１、ＲＯＭ１０２、ＲＡＭ１０３、ＨＤＤ１０４、通信制御手段１０５、予約楽曲管理手段１０６、表示時間調整手段１０７、音楽再生制御手段１０８、背景映像表示制御手段１０９、映像再生制御手段１１０を備えている。
【００５４】
＜中央制御手段＞
中央制御手段１０１は、カラオケ演奏装置１０を総合的に制御するための電子機器であり、例えばＣＰＵ及びその周辺機器により構成されており、ＣＰＵ等がＲＯＭ１０２等に記憶されたプログラムに従って動作することにより、制御機能を発揮するようになっている。
【００５５】
＜ＲＯＭ／ＲＡＭ＞
ＲＯＭ１０２は、カラオケ演奏装置１０を構成する各機器を制御するためのプログラムデータや数値データを記憶するための電子機器である。また、ＲＡＭ１０３は、プログラムや各種データを一時的に記憶する一時記憶領域として機能する電子機器である。本実施形態では、ＲＡＭ１０３に、予約楽曲リスト１０３ａや、携帯情報端末３０から送信された選択映像の映像データが一時的に記憶される。
【００５６】
＜ＨＤＤ＞
ＨＤＤ１０４は、大容量記憶手段として機能するもので、楽曲データベース１０４ａ、背景映像データベース１０４ｂが格納されている。なお、ＨＤＤ１０４に替えて、あるいはＨＤＤ１０４と共に、データを書き替え可能なＤＶＤ等の大容量記憶手段を用いてもよい。
【００５７】
＜楽曲データベース＞
楽曲データベース１０４ａは、演奏制御データ（ＭＩＤＩ規格のデータ）及び歌詞描出データが同期されて構成される楽曲データについて、楽曲ＩＤと対応付けしてそれぞれ構成されたデータベースである。演奏制御データは、各楽曲の演奏を制御するためのデジタルデータであり、歌詞描出データは演奏に同期した歌詞文字の表示タイミングデータ及び色変わりデータ、ガイドボーカルデータ、演奏楽曲の主旋律等からなり歌唱採点の基準となるリファレンスデータを含んでいる。また、楽曲データベース１０４ａには、各楽曲の演奏時間データが格納されており、この演奏時間データを携帯情報端末３０に送信することにより、背景映像として表示する映像の表示時間を設定することができる。
【００５８】
＜背景映像データベース＞
背景映像データベース１０４ｂは、演奏されるカラオケ楽曲に対応した背景映像を、当該カラオケ楽曲の楽曲ＩＤに対応させた背景映像ファイルとして所定数格納したデータベースである。本実施形態では、背景映像データベース１０４ｂに格納された背景映像に代えて、携帯情報端末３０の記憶手段３８に記憶している映像の中から、利用者の指示入力に従い選択した映像を背景映像として表示することができる。
【００５９】
＜通信制御手段＞
通信制御手段１０５は、携帯情報端末３０、サーバー２０、カラオケリモコン装置４０と、データ及び信号の送受信を制御するための電子機器及びプログラムからなる。この通信制御手段１０５の機能により、携帯情報端末３０、カラオケリモコン装置４０、サーバー２０との間で送受信するデータ及び信号の同期や誤り制御等を行う。
【００６０】
＜予約楽曲管理手段／予約楽曲リスト＞
予約楽曲管理手段１０６は、任意の利用者がカラオケ楽曲の予約を行う際に、携帯情報端末３０やカラオケリモコン装置４０を用いて決定された予約楽曲の情報がカラオケ演奏装置１０に送信された後に、カラオケ演奏装置１０において、予約楽曲の楽曲ＩＤと選曲を行った利用者の利用者の利用者ＩＤとを対応付けして、予約楽曲リスト１０３ａにて管理するためのプログラムからなる。
【００６１】
すなわち、予約楽曲管理手段１０６は予約楽曲リスト１０３ａを作成し、この予約楽曲リスト１０３ａをＲＡＭ１０３に記憶して管理する。予約楽曲リスト１０３ａは、利用者により楽曲検索手段３１の機能を用いて選曲された楽曲の楽曲ＩＤ及び利用者ＩＤを関連付けて、演奏順に並べたデータテーブルである。
【００６２】
＜表示時間調整手段＞
表示時間調整手段１０７は、演奏時間に合致するように選択した短縮対象映像の表示時間を調整するためのプログラムからなる。すなわち、利用者により表示時間のカットが許容された映像（短縮対象映像）について、演奏時間に合致するように表示時間を調整する。表示時間の調整は、例えば、図４に示すように、短縮対象映像として選択された映像の不要区間をカットする。なお、表示時間の調整はどのような方法であってもよく、例えば、不要区間に応じて、映像の前部分をカットしてもよいし、映像の中間部分を残して前後部分をカットしてもよいし、映像を所定間隔で早送りしてもよいし、映像全体を早送りしてもよい。
【００６３】
＜背景映像表示制御手段＞
背景映像表示制御手段１０９は、表示時間が調整された短縮対象映像を含む選択された映像を背景映像として表示させるためのプログラムからなる。後述するように、通常の楽曲演奏では、映像再生制御手段１１０の機能により、背景映像データベース１０４ｂから抽出した背景映像データと、楽曲データに含まれる歌詞描出データに基づいて作成される歌詞文字とを、当該カラオケ楽曲の楽曲データに同期させて表示装置７０に出力する。
【００６４】
一方、予め用意されている背景映像に代えて、利用者の携帯情報端末３０の記憶手段３８に記憶された映像を背景映像として表示する場合には、携帯情報端末３０から通信基地局１２０を介してサーバー２０に選択映像を送信するとともに、サーバー２０を中継してカラオケ演奏装置１０に選択映像を送信してもよいし、同一のＬＡＮ内に設置されたルーター９０を介して、携帯情報端末３０に記憶されている選択映像をカラオケ演奏装置１０に送信してもよい。選択映像を受信したカラオケ演奏装置１０では、背景映像表示制御手段１０９の機能により、当該受信した選択映像を背景映像データとして出力する。そして、映像再生制御手段１１０の機能により、選択された映像データと、楽曲データに含まれる歌詞描出データに基づいて作成される歌詞文字とを、当該カラオケ楽曲の楽曲データに同期させて表示装置７０に出力する。
【００６５】
＜音楽再生制御手段＞
音楽再生制御手段１０８は、楽曲ＩＤに対応する楽曲データから抽出された演奏制御データに基づいて、音源（シンセサイザ）を駆動しカラオケ演奏信号を構成する楽音信号を生成するとともにアナログ変換してミキシングアンプ８０に出力するための電子機器である。また、ミキシングアンプ８０は、マイクロホン５０から入力される歌唱音声信号と、音楽再生制御手段１０８から送出されるカラオケ演奏信号とをミキシングするとともに、アンプ機能により増幅してスピーカ６０より出力するための装置である。
【００６６】
＜映像再生制御手段＞
映像再生制御手段１１０は、カラオケ楽曲の演奏中に、背景映像データベース１０４ｂから抽出した背景映像データと、楽曲データに含まれる歌詞描出データに基づいて作成される歌詞文字とを、当該カラオケ楽曲の楽曲データに同期させて表示装置７０に出力するための電子機器である。
【００６７】
＜背景映像となる映像の選択＞
以下、具体的な実施例に基づいて、本発明の背景映像対応システムにおける背景映像となる映像を選択する手順、短縮映像となる映像を選択する手順、短縮対象となる映像の表示時間を調整する手順について説明する。
【００６８】
背景映像となる映像を選択するには、携帯情報端末３０の入出力表示部３９に一覧表示された映像アイコンの中から、利用者が所望する映像アイコンをタップすればよい。図２に示す例では、１画面中に００１ａ〜０１２ａの１２個の映像が表示されており、各映像アイコンは、その表示時間に応じて３Ｄ表示されるとともに、表示時間と短縮可能時間が付記表示されている。図２には、００３ａ（表示時間２５秒、短縮可能時間１０秒）、００５ａ（表示時間４３秒、短縮可能時間１５秒）、００８ａ（表示時間１分１１秒、短縮可能時間３０秒）の映像を選択した状態が示してある。そして、画面下側のボックスには、選曲予約した楽曲の演奏時間が３分４３秒であり、現在選択した３個の映像の合計表示時間が２分１９秒であり、残り表示時間が１分２４秒であることが表示されている。
【００６９】
なお、楽曲の演奏時間と残り時間の関係に基づいて、選択できる映像を選定してもよい。例えば、残り表示時間が１分２４秒であれば、残り時間に対する所定の割合（１５０％）から２分以上の映像は選択できなくする等の処理を行うことにより、残りの演奏時間に合わせた映像の選択を可能とする。
【００７０】
＜短縮対象となる映像の選択＞
背景映像となる映像の選択が終了すると、図３に示すように、携帯情報端末３０の入出力表示部３９には、短縮対象となる映像を選択するための画面が表示される。図３に示す例では、００３ａ（表示時間２５秒、短縮可能時間１０秒）、００５ａ（表示時間４３秒、短縮可能時間１５秒）、００８ａ（表示時間１分１１秒、短縮可能時間３０秒）、０１１ａ（表示時間２分１８秒、短縮可能時間３４秒）の映像が選択された状態を示している。
【００７１】
そして、画面下側のボックスには、これらの映像の合計表示時間が４分３７秒であり、演奏時間である３分４３秒と表示時間とを一致させるために、５４秒のカットが必要であることが表示されている。そこで、利用者は、４個の映像の中から表示時間を短縮してもよい映像を選択する。図３に示す例では、短縮対象となる映像として、０１１ａ（２分１８秒）と００８ａ（表示時間１分１１秒）を選択した状態を示している。ここで、第１番目に０１１ａを選択し、第２番目に００８ａを選択したとすると、先に選択した映像（０１１ａ）について表示時間短縮の優先順位を高くする。
【００７２】
＜映像表示時間の調整＞
映像表示時間の調整を行うには、携帯情報端末３０からカラオケ演奏装置１０に対して、選択された楽曲の楽曲ＩＤと、短縮対象となる短縮映像と、短縮対象外の映像を含む選択映像とを送信する。楽曲ＩＤと選択映像を受信したカラオケ演奏装置１０では、楽曲ＩＤを予約楽曲リスト１０３ａに登録し、短縮対象外の映像は、ＲＡＭ１０３に一時的に記憶し、短縮映像として選択された、０１１ａ（表示時間２分１８秒、短縮可能時間３４秒）と００８ａ（表示時間１分１１秒、短縮可能時間３０秒）に対して表示時間の短縮処理が行われた後に、ＲＡＭ１０３に一時的に記憶する。すなわち、図４に示すように、短縮映像は、選択された優先順位に従い不要区間の映像のカットを行う（選択順位が第１番目の０１１ａは３４秒をカットし、選択順位が第２番目の００８ａは２０秒をカットする）ことにより、演奏時間を超過している５４秒分をカットする。これにより、演奏時間（３分４３秒）と選択した映像の合計表示時間（３分４３秒）とが一致する。そして、予約された楽曲ＩＤの楽曲データに同期させて、短縮映像を含む選択映像を表示装置７０に出力する。
【符号の説明】
【００７３】
１０  カラオケ演奏装置
２０  サーバー
２１  サーバー制御手段
２２  サーバー記憶手段
２３  サーバー通信制御手段
３０  携帯情報端末
３１  楽曲検索手段
３２  選曲予約手段
３３  演奏時間取得手段
３４  候補映像表示制御手段
３５  映像選択手段
３６  短縮対象映像選択手段
３７  選択映像表示時間提示手段
３８  記憶手段
３９  入出力表示部
４０  カラオケリモコン装置
４１  リモコン楽曲検索手段
４２  楽曲索引データベース
４３  データ記憶部
４４  リモコン入出力表示部
５０  マイクロホン
６０  スピーカ
７０  表示装置
８０  ミキシングアンプ
９０  ルーター
１０１  中央制御手段
１０２  ＲＯＭ
１０３  ＲＡＭ
１０３ａ  予約楽曲リスト
１０４  ＨＤＤ
１０４ａ  楽曲データベース
１０４ｂ  背景映像データベース
１０５  通信制御手段
１０６  予約楽曲管理手段
１０７  表示時間調整手段
１０８  音楽再生制御手段
１０９  背景映像表示制御手段
１１０  映像再生制御手段
１２０  通信基地局
１３０  通信回線
２００  背景映像対応システム
【図１】
0006533108.tif 000002
【図２】
0006533108.tif 000003
【図３】
0006533108.tif 000004
【図４】
0006533108.tif 000005